(57)【要約】【課題】  吸込口および吹出口に埃が付着することを容易に抑えることができる空気調和装置（空気清浄器など）を提供する。【解決手段】  吸込口Ｏ１から空気を吸い込んで吹出口Ｏ２から調和された空気を吹き出す空気清浄器１００であって、空調部１０と、開閉部２０とを備えている。空調部１０は、吸込口Ｏ１と吹出口Ｏ２との間に設けられ空気の調和を行う。開閉部２０は、吸込口Ｏ１および吹出口Ｏ２を開閉することができる。【選択図】      図６
2005164106.tif 000002
【特許請求の範囲】
【請求項１】
吸込口（Ｏ１）から空気を吸い込んで吹出口（Ｏ２）から調和された空気を吹き出す空気調和装置（１００）であって、
前記吸込口（Ｏ１）と前記吹出口（Ｏ２）との間に設けられ前記空気の調和を行う空調部（１０）と、
前記吸込口（Ｏ１）および前記吹出口（Ｏ２）の開閉が可能な開閉部（２０）と、
を備えた空気調和装置（１００）。
【請求項２】
前記空調部（１０）は、前記吸込口（Ｏ１）および前記吹出口（Ｏ２）が開いている状態で前記空気の調和が可能となる、
請求項１に記載の空気調和装置（１００）。
【請求項３】
前記空調部（１０）は、前記開閉部（２０）が前記吸込口（Ｏ１）および前記吹出口（Ｏ２）を開けた場合に前記空気の調和を行う、
請求項１または２に記載の空気調和装置（１００）。
【請求項４】
前記開閉部（２０）は、前記吸込口（Ｏ１）および前記吹出口（Ｏ２）を同時に開けるか、あるいは前記吸込口（Ｏ１）および前記吹出口（Ｏ２）を同時に閉じるか、の少なくともいずれか一方を行う、
請求項１から３のいずれかに記載の空気調和装置（１００）。
【請求項５】
第１ケーシング（３０）と、第２ケーシング（４０）と、第３ケーシング（５０）とをさらに備え、
前記吸込口（Ｏ１）は、前記第２ケーシング（４０）と前記第３ケーシング（５０）との間に設けられて、
前記吹出口（Ｏ２）は、前記第１ケーシング（３０）と前記第２ケーシング（４０）との間に設けられて、
前記開閉部（２０）は、前記第１ケーシング（３０）と前記第２ケーシング（４０）との間の距離を変動させることで前記吹出口（Ｏ２）を、前記第２ケーシング（４０）と前記第３ケーシング（５０）との間の距離を変動させることで前記吸込口（Ｏ１）をそれぞれ開閉する、
請求項１から４のいずれかに記載の空気調和装置（１００）。
【請求項６】
前記開閉部（２０）は、前記第１ケーシング（３０）と前記第３ケーシング（５０）とのいずれか一方を前記第２ケーシング（４０）に対して近づけるように押した場合に、前記第１ケーシング（３０）と前記第２ケーシング（４０）との間の距離および前記第２ケーシング（４０）と前記第３ケーシング（５０）との間の距離を変動可能な距離変動機構（２５、２１）を有している、
請求項５に記載の空気調和装置（１００）。
【請求項７】
前記空調部（１０）に電力を供給するための電源接続部（６０）をさらに備え、
前記電源接続部（６０）は、電気プラグ（６１）とＵＳＢコネクタ（６３）との少なくともいずれか一方を有している、
請求項１から６のいずれかに記載の空気調和装置（１００）。
【請求項８】
前記電源接続部（６０）は、電気コード（６２）をさらに有しており、
前記電気コード（６２）を収納するための収納スペース（Ｇ６０）をさらに備えた、
請求項７に記載の空気調和装置（１００）。
【請求項９】
前記空調部（１０）は、前記空気の清浄を行う、
請求項１から８のいずれかに記載の空気調和装置（１００）。
【発明の詳細な説明】
【技術分野】
【０００１】
本発明は、空気調和装置、特に、吸込口から空気を吸い込んで吹出口から調和された空気を吹き出す空気調和装置に関する。
【背景技術】
【０００２】
従来から、一般住宅・集合住宅等の室内において、室内の空気を清浄させることで室内空間の快適性を向上させる空気清浄器が知られている。例えば、以下に示す特許文献１に記載されている空気清浄器では、室内の空気を吸い込んで、塵や埃などの微粒子を分離および除去して、清浄された空気を室内に送り出す。このようにして、空気清浄器は、室内の空気を清浄に保ち、室内空間の快適性を向上させている。この従来の空気清浄器では、室内の空気を空気清浄器の本体内部に吸い込むための吸込口と、清浄された空気を空気清浄器の本体内部から室内に吹き出すための吹出口とが設けられている。空気清浄器では、運転が開始されると、まず、吸込口から室内の空気を空気清浄器内に吸い込む。そして、空気清浄器の本体内部において空気が清浄され、吹出口から清浄された空気が室内に送り出される。
【特許文献１】特開平１１−３１６０４９号公報
【発明の開示】
【発明が解決しようとする課題】
【０００３】
空気清浄器の吸込口および吹出口では、運転時においては、送風ファンの回転によって空気流れが形成されているために埃が留まりにくく付着しにくい。ところが、空気清浄器は常時運転状態であるわけではなく運転停止状態となっている時もあり、このような運転停止状態においては、吸込口および吹出口では空気流れは形成されていない。このため、空気清浄器の運転停止時には、空気中を舞っている小さな埃や塵が吸込口および吹出口に付着してしまう虞がある。これに対して、近年の空気清浄器では、運転停止状態の時には、吸込口および吹出口にカバーを取り付けることで吸込口および吹出口に埃が付着することを防いでいるものがある。しかし、このような従来の空気清浄器では、運転させようとする度にこのようなカバーの取り外し作業が必要となってしまい、煩雑である。
【０００４】
本発明は上述した点に鑑みてなされたものであり、本発明の課題は、吸込口および吹出口に埃が付着することを容易に抑えることができる空気調和装置（空気清浄器など）を提供することにある。
【課題を解決するための手段】
【０００５】
請求項１に記載の空気調和装置は、吸込口から空気を吸い込んで吹出口から調和された空気を吹き出す空気調和装置であって、空調部と、開閉部とを備えている。空調部は、吸込口と吹出口との間に設けられ空気の調和を行う。ここでの空調部が行う空気の調和には、冷房、暖房、除湿や加湿だけでなく空気に香りを付けること等も含まれる。開閉部は、吸込口および吹出口を開閉することができる。ここでの開閉部による吸込口および吹出口の開閉には、機械的な開閉や、電動的な開閉等も含まれる。開閉部による機械的な開閉としては、例えば、空気調和装置の所定の部分を押したり引いたりした場合に構造状態が変化して開閉されるようなものや、空気調和装置の所定の部分を回転させて開閉されるようなもの等がある。開閉部による電動的な開閉としては、例えば、電動式に開閉制御を行うことが可能なもの等がある。
【０００６】
従来の空気調和装置では、空気調和を行っていない運転停止状態等の時には、吸込口および吹出口は開いた状態のままではあるが、吸込口および吹出口の周りに空気流れは形成されていない。このため、空気調和を行っていない時には、空気中を舞っている小さな埃や塵が、開いたままの状態の吸込口および吹出口に付着してしまう虞がある。また、吸込口のカバーおよび吹出口のカバーを取り付ける等によって吸込口および吹出口に埃が付着することを防ぐことも可能であるが、運転させようとする度に吸込口のカバーや吹出口のカバーの取り外し作業が必要となってしまい、煩雑である。
【０００７】
しかし、請求項１に係る空気調和装置では、開閉部は、吸込口と吹出口とのどちらか一方の開閉を行うのではなく、吸込口および吹出口のいずれについても開閉可能である。このため、開閉部を動作させることにより、吹出口だけでなく吸込口についても共に開閉することができ、吸込口および吹出口の開閉が容易となる。これにより、開閉部によって吸込口および吹出口が開けられた場合には、吸込口と吹出口との間に設けられた空調部が、吸込口から吸い込んだ空気を調和して吹出口から吹き出すことができ、空気調和が可能になる。一方、空調部が空気調和を行わない場合には、開閉部を動作させることによって吸込口だけでなく吹出口も閉じることができ、吸込口および吹出口に対する埃の付着を容易に抑えることができるようになる。
【０００８】
請求項２の空気調和装置は、請求項１に記載の空気調和装置であって、空調部は、吸込口および吹出口が開いている状態で空気の調和が可能となる。
ここでは、空調部が空気の調和を行うことができるのは、吸込口と吹出口とが開いている間のうち一定の時間である。このため、空調部が、吸込口と吹出口とが閉じられたままの状態で空気の調和を行うことを防ぐことが可能となり、空調部による空気の調和における不具合が生じることを抑えることができるようになる。
【０００９】
なお、空調部が空調を行う場合には、吸込口および吹出口が開いた状態であるため、空気流れが形成されて確実に空気調和を行うことができ、吸込口および吹出口における埃の付着を抑えることが可能になる。また、空調部が空調を行っていない場合には、吸込口および吹出口が閉じた状態であるため、吸込口および吹出口における埃の付着を抑えることが可能になる。
【００１０】
請求項３の空気調和装置は、請求項１または２に記載の空気調和装置であって、空調部は、開閉部が吸込口および吹出口を開けた場合に空気の調和を行う。
ここでは、開閉部は、吸込口および吹出口を開けることができ、これに伴って空調部において空気の調和を行わせることができるため、運転開始のためのスイッチような役割を果たすことができるようになる。すなわち、開閉部による吸込口および吹出口を開ける動作に空調部による空調動作を連動させることが可能になり、別途空調部に空調動作させるための操作を省略できるようになるため、より簡易に空気調和装置を取り扱うことが可能となる。例えば、空気調和装置の使用者は、１つの操作を行うだけで、吸込口および吹出口の開閉と、空調部の空気調和とを行わせるようにすることができるようになる。
【００１１】
請求項４の空気調和装置は、請求項１から３のいずれかに記載の空気調和装置であって、開閉部は、吸込口および吹出口を同時に開けるか、あるいは吸込口および吹出口を同時に閉じるか、の少なくともいずれか一方を行う。なお、ここでの開閉部による吸込口および吹出口の同時開閉方式には、瞬間的に同時に行われる開閉方式だけでなく、吸込口および吹出口のうちのどちらか一方が開いてその後に他方が開くような開閉方式等も含まれる。
【００１２】
ここでは、吸込口および吹出口を同時に開けるか若しくは同時に閉じることができるため、空調部における空調が可能な状態と、吸込口および吹出口に埃が付着しにくい状態とをより迅速に切り換えることができるようになり、空気調和装置の操作性を向上させることが可能になる。
請求項５の空気調和装置は、請求項１から４のいずれかに記載の空気調和装置であって、第１ケーシングと、第２ケーシングと、第３ケーシングとをさらに備えている。吸込口は、第２ケーシングと第３ケーシングとの間に設けられている。吹出口は、第１ケーシングと第２ケーシングとの間に設けられている。この吸込口は、第２ケーシングと第３ケーシングとの間の距離が開閉部によって変動させられることで開閉される。また、吹出口は、第１ケーシングと第２ケーシングとの間の距離が開閉部によって変動させられることで開閉される。
【００１３】
ここでは、吸込口や吹出口の開閉は各ケーシング間の距離を変動させて行うことができるため、空調部が空調を行わない場合に吸込口および吹出口に空気流れが形成されない状態となっても、開閉部が各ケーシング間の距離を短くすることで吸込口および吹出口における埃の付着を抑えることができるようになる。このように、ここでは３つのケーシングによって吸込口および吹出口の開閉を行うことが可能となるので、吸込口および吹出口を閉じるためのカバー等を別途設ける必要がなく、構成を簡素化させることができるようにになる。
【００１４】
なお、ここでの第１ケーシング、第２ケーシング、第３ケーシングの配置は、例えば、上から見た場合において、より下方に配置されているケーシングがより上方に配置されているケーシングによって覆い隠されて見えないような状態となっていることが望ましい。これにより、吸込口および吹出口において、重力に従って落下して堆積していく埃の量を低減させることができる。また、この他にも第１ケーシング、第２ケーシング、第３ケーシングの配置は、例えば、吸込口および吹出口が閉じられた状態で、上方に配置されるケーシングとそのすぐ下に配置されるケーシングとの間のそれぞれの外縁が、水平方向において差がより少ない状態となっていることがより好ましい。これにより、重力に逆らって自由に動くような微小な埃についても、吸込口および吹出口における埃の付着を効果的に抑えることができるようになる。
【００１５】
また、開閉部による吸込口および吹出口の開閉は、例えば、空気調和装置に開閉ボタンを設けて、この開閉ボタンを押すことで吸込口および吹出口が開閉できるような構成であってもよい。また、開閉部による開閉には、この他にも第２ケーシングに対して第１ケーシングをねじることにより吹出口を開閉し、第２ケーシングに対して第３ケーシングをねじることにより吸込口を開閉するような構成であってもよい。ねじることで吸込口および吹出口を開閉する場合には、さらに、ねじり度合いによって吸込口および吹出口の開き度合いを調節可能にして、風量や風速の調整を行うことができるようにしてもよい。
【００１６】
請求項６の空気調和装置は、請求項５に記載の空気調和装置であって、開閉部は、距離変動機構を有している。この距離変動機構は、第１ケーシングと第３ケーシングとのいずれか一方を第２ケーシングに対して近づけるようにして押した場合に、第１ケーシングと第２ケーシングとの間の距離および第２ケーシングと第３ケーシングとの間の距離を変動することができる。
【００１７】
なお、ここでの距離変動機構は、例えば、上述のように開閉される場合に、第１ケーシングと第２ケーシングとの間の距離および第２ケーシングと第３ケーシングとの間の距離を、複数段階に分けて設定してもよい。この場合には、第１ケーシングと第３ケーシングとのいずれか一方を第２ケーシングに対して押す場合の度合いに応じて、第１ケーシングと第２ケーシングとの間の距離および第２ケーシングと第３ケーシングとの間の距離を調整することができるような構成であってもよい。
【００１８】
ここでは、第１ケーシング若しくは第３ケーシングのいずれか一方を第２ケーシングに向けて押すという簡易な操作によって、第１ケーシングと第２ケーシングとの間の距離および第２ケーシングと第３ケーシングとの間の距離を変動することができるため、吸込口および吹出口を簡易な操作によって開閉することが可能になる。このため、空気調和装置の操作性をより向上させることができる。
【００１９】
請求項７の空気調和装置は、請求項１から６のいずれかに記載の空気調和装置であって、空調部に電力を供給するための電源接続部をさらに備えている。この電源接続部は、電気プラグとＵＳＢ（Universal Serial Bus）コネクタとの少なくともいずれか一方を有している。
ここでは、空気調和装置の電源接続部が、電気プラグを有している場合には電気コンセントからの電源取得が可能になり、ＵＳＢコネクタを有している場合にはパソコンのＵＳＢ（Universal Serial Bus）ポートからの電源取得が可能になる。このような電気コンセントもしくはＵＳＢポートは、一般に、空気調和装置が設置される室内においては様々な場所に設けられているものである。このため、空調部に電力を供給するための電源取得ポイントを様々な場所から選ぶことが可能になり、希望の設置場所を容易に確保することができるようになる。
【００２０】
請求項８の空気調和装置は、請求項７に記載の空気調和装置であって、電源接続部は、電気コードをさらに有している。この電気コードを収納するための収納スペースをさらに備えている。
ここでは、空気調和装置が使用しない場合等電気コードを使用しない場合であっても、電気コードを収納スペースに収納させることができるため、空気調和装置の設置スペースを省スペース化させることができるようになる。また、電池等によっても駆動力を得ることが可能な空気調和装置においては、電気コードを使わない場合もあり、電気コードを収納スペースに収納させることで運転時においても省スペース化させることができるようになる。なお、ここでの収納スペースとしては、例えば、空気調和装置の底面において円周状に設けられ、この円周に沿って上方に窪んで形成された溝によって構成されるようなもの等も含まれる。この場合には、電気コードは、できるだけ折り曲げたりすることなく、円弧上の溝に沿って巻き付けるように収納することができるようになる。
【００２１】
請求項９の空気調和装置は、請求項１から８のいずれかに記載の空気調和装置であって、空調部は、空気の清浄を行う。
ここでは、空気の清浄を目的として空気調和装置が用いられる場合において、吸込口および吹出口における埃の付着を抑えることで、より効果的な空気の清浄が可能となる。例えば、空調部による空調が行われていない場合に吹出口に埃が付着してしまうと、後に空調部による空調を再開した際に吹出口に蓄積していた埃が散乱してしまい、室内環境を劣悪化させてしまう虞がある。これに対して、請求項９に記載の空気調和装置では、このような埃の付着を抑えたより効果的な空気の清浄を行うことが可能となる。
【発明の効果】
【００２２】
請求項１に係る空気調和装置では、開閉部を動作させることによって吸込口だけでなく吹出口をも閉じることができ、吸込口および吹出口に対する埃の付着を容易に抑えることが可能になる。
請求項２に係る空気調和装置では、吸込口と吹出口とが閉じた状態において空調部が空気の調和を行うことを防ぐことが可能となり、空調部による空気の調和における不具合が生じることを抑えることができるようになる。
【００２３】
請求項３に係る空気調和装置では、開閉部による吸込口および吹出口を開ける動作に空調部による空調動作を連動させることが可能になり、別途空調部に空調動作させるための操作を省略できるようになるため、より簡易に空気調和装置を取り扱うことが可能となる。
請求項４に係る空気調和装置では、空気調和装置の操作性を向上させることが可能になる。
【００２４】
請求項５に係る空気調和装置では、構成を簡素化させることができるようになる。
請求項６に係る空気調和装置では、空気調和装置の操作性をより向上させることができる。
請求項７に係る空気調和装置では、希望の設置場所を容易に確保することができるようになる。
【００２５】
請求項８に係る空気調和装置では、空気調和装置の設置スペースを省スペース化させることができるようになる。
請求項９に係る空気調和装置では、埃の付着を抑えたより効果的な空気の清浄を行うことが可能となる。
【発明を実施するための最良の形態】
【００２６】
＜空気清浄器の外観構成等＞
本発明の一実施形態が採用された空気清浄器１００の全体構成を図１、図２および図３に示す。
空気清浄器１００は、略卵型の形状をしており、卓上に配置可能な程度の大きさの小型のものであって、主に、上部ケーシング３０と、中央ケーシング４０と、下部ケーシング５０と、電源接続部６０とを備えている。また、図６に示すように、表示部７０をさらに備えている。中央ケーシング４０は、下部ケーシング５０に対して上下方向に可動し、上部ケーシング３０は中央ケーシング４０に対して上下方向に可動する構成となっている。図２は、下部ケーシング５０と中央ケーシング４０との間の吸込口Ｏ１と、中央ケーシング４０と上部ケーシング３０との間の吹出口Ｏ２との両方が閉じた状態の空気清浄器１００を示している。図３は、吸込口Ｏ１と吹出口Ｏ２との両方が開いた状態の空気清浄器１００を示している。
【００２７】
下部ケーシング５０は、図４において示すように、空気清浄器１００の下方部分を構成しており、下部ケーシング上面Ｓ４を有している。また、この下部ケーシング５０は、図１、図２、図３および図６において示すように、汚れレベルパネル５１と、フィルタ交換サインパネル５２とを有しており、図６において示すように、交換用フィルタ支持台５３を有している。さらに、この下部ケーシング５０は、図５および図６において示すように、下部ケーシング５０の底面において、収納スペースＧ６０が設けられている。下部ケーシング上面Ｓ４は、図４において示すように、下部ケーシング５０の上端部分における円周状の水平面である。汚れレベルパネル５１は、下部ケーシング５０の円周上に沿うようにして内外に貫通された開口部分を透明の樹脂によって覆うことで構成されている。この透明な樹脂の部分を介して、後述する汚れレベル表示部７１が外部に対してＬＥＤ表示することができるようになっている。また、フィルタ交換サインパネル５２は、汚れレベルパネル５１の近傍において内外に貫通された開口部分を透明の樹脂によって覆うことで構成されている。フィルタ交換サインパネル５２についても、透明な樹脂の部分を介して、後述するフィルタ交換サイン表示部７２が外部に対してＬＥＤ表示することができるようになっている。交換用フィルタ支持台５３は、図６において示すように、下部ケーシング５０の内側上方に設けられた円盤状の台であって、その台の上には後述する交換用フィルタ１２を支持することができる。収納スペースＧ６０は、図５において示すように、下部ケーシング５０の底面に設けられており、上方に窪んだ溝が円周状に形成されている。この収納スペースＧ６０には、後述する電源接続部６０の電気コード６２および電気プラグ６１を収納することができる。この電気コード６２および電気プラグ６１は、この収納スペースＧ６０の円周上に沿って手動で巻き付けるようにして収納される。
【００２８】
中央ケーシング４０は、図４において示すように、空気清浄器１００の胴体部分を構成している筒状体であり、中央ケーシング上面Ｓ２と、中央ケーシング下面Ｓ３とを有している。また、中央ケーシング４０は、図１、図２および図３において示すように、状況情報部４１を有している。中央ケーシング４０の中央ケーシング上面Ｓ２は、図４において示すように、中央ケーシング４０の上端部分において円周状の水平面を構成している。中央ケーシング下面Ｓ３は、図４において示すように、中央ケーシング４０の下端部分において円周状の水平面を構成しており、下部ケーシング上面Ｓ４の大きさに対応する大きさとなっている。中央ケーシング４０は、後述する開閉部２０によって、下部ケーシング５０に対して上下に移動可能である。これにより、中央ケーシング４０が下に移動して下部ケーシング５０との間の吸込口Ｏ１が閉じられた状態では、中央ケーシング下面Ｓ３は、下部ケーシング上面Ｓ４とほぼ重なるように配置され、中央ケーシング下面Ｓ３の外縁と下部ケーシング上面Ｓ４の外縁とはほとんど差が生じないようにして両面が合わさった状態となる。これにより、下部ケーシング５０の下部ケーシング上面Ｓ４は、中央ケーシング４０の中央ケーシング下面Ｓ３によって覆い隠されて上からは視認できないようになり、重力に従って堆積するような大きさの埃が吸込口Ｏ１近傍の下部ケーシング上面Ｓ４に蓄積する量を低減させることができる。また、中央ケーシング下面Ｓ３の外縁と下部ケーシング上面Ｓ４の外縁とはほとんど差が生じないようにして合わさっており、凹凸形状が少ない状態となるため、重力に逆らって自由に動くような微小な埃についても、吸込口Ｏ１近傍における下部ケーシング上面Ｓ４および中央ケーシング下面Ｓ３での埃の付着を効果的に抑えることができる。状況情報部４１は、図１、図２、図３および図４において示すように、空気清浄器１００の各使用者に起こりうる様々な状況を表示する。ここでは、使用者が、会議中の時、帰宅している場合、出張中の場合、試験室にいる場合の４つの場合について起こりうる状況として表示している。具体的には、上部ケーシング３０を中央ケーシング４０に対して回転させて、後述する上部ケーシング３０の選択矢印３３を用いることによって、状況情報部４１のうち使用者の現在の状況を指し示すことで、第３者に対して使用者の現在の状況を知らせることができる。
【００２９】
上部ケーシング３０は、空気清浄器１００の上方部分をドーム状に覆っており、図４において示すように、上部ケーシング下面Ｓ１を有している。上部ケーシング下面Ｓ１は、上部ケーシング３０の下側部分において円周状の水平面を構成しており、中央ケーシング上面Ｓ２の大きさに対応する大きさとなっている。この上部ケーシング３０は、空気清浄器１００の中心軸を中心に中央ケーシング４０に対して回転可能に設けられている。また、上部ケーシング３０は、後述する開閉部２０によって、中央ケーシング４０に対して上下に移動可能である。上部ケーシング３０が下に移動して中央ケーシング４０との間の吹出口Ｏ２が閉じられた状態では、上部ケーシング下面Ｓ１は、中央ケーシング上面Ｓ２とほぼ重なるように配置され、上部ケーシング下面Ｓ１の外縁と中央ケーシング上面Ｓ２の外縁とはほとんど差が生じないようにして合わさった状態となる。これにより、中央ケーシング４０の中央ケーシング上面Ｓ２は、上部ケーシング３０の上部ケーシング下面Ｓ１によって覆い隠されて上から視認できない状態となり、重力に従って堆積するような大きさの埃が吹出口Ｏ２近傍の中央ケーシング上面Ｓ２に蓄積する量を低減させることができる。また、上部ケーシング下面Ｓ１の外縁と中央ケーシング上面Ｓ２の外縁とはほとんど差が生じないようにして合わさっており、凹凸形状部分が少ない状態となるため、重力に逆らって自由に動くような微小な埃についても、吹出口Ｏ２近傍における中央ケーシング上面Ｓ２および上部ケーシング下面Ｓ１での埃の付着を効果的に抑えることができる。
【００３０】
また、上部ケーシング３０は、図６において示すように、上部軸３１と、フィン３２とを有しており、図１、図２および図３において示すように、選択矢印３３をさらに有している。なお、図４においては、これら上部軸３１とフィン３２等は、図面の理解を容易にするために省略している。上部軸３１は、図６において示すように、上部ケーシング３０の内側中央から中心軸上において下向きに伸びており、後述する開閉部２０の吸込開閉機構２１のバネ２２の上端部分にまで達している。上部ケーシング３０は、この上部軸３１を軸に、中央ケーシング４０や下部ケーシング５０に対して回転させることができる。フィン３２は、図３および図６において示すように、上部ケーシング３０の内側から円周状に下に向けて伸びた多数の羽根によって構成されており、吹出口Ｏ２が開いた状態で、清浄された空気を通過させる。この上部ケーシング３０では、下方に向けて１度押されることにより、後述する開閉部２０によって中央ケーシング４０に対して上方に持ち上げられて中央ケーシング４０との間の距離が広げられることで吹出口Ｏ２が開けられる。また、上部ケーシング３０が下向きに１度押されることにより、中央ケーシング４０についても、下部ケーシング５０に対して上方に持ち上げられて下部ケーシング５０との間の距離が広げられることで吸込口Ｏ１が開けられる。選択矢印３３は、図１、図２および図３において示すように、上部ケーシング３０の上面に描かれた三角形の矢印である。選択矢印３３は、上部ケーシング３０を中央ケーシング４０に対して回転させることで、前述した中央ケーシング４０の状況情報部４１の表示のうち該当する状況情報の部分に合わせることで、使用者の現在の状況を示すことができるようになっている。ここでは、図１において示すように、使用者が空気清浄器１００の設置場所を離れた場合に、使用者の現在の状況を示すことがで、会議中、帰宅、出張、試験室等の情報を示すことができる。なお、空気清浄器１００の使用時の状態を示す図３においても、不使用時の状況を示す図２においても、上部ケーシング３０は、どちらの状態においても回転可能であり、使用時／不使用時を問わず、いつでも状況情報部４１と選択矢印３３とによって状況情報を伝えることができる。
【００３１】
電源接続部６０は、図１、図２、図３および図５において示すように、電気プラグ６１と電気コード６２とから構成されており、空気清浄器１００が設置される室内の電気コンセントから空調部１０に対して電力を送り届ける。電気コード６２は、一方が電気プラグ６１と接続されている。また、他方は、図６において示すように、空調部１０の電装部１１のスイッチ１１ａと接続されている。電気プラグ６１は、電気コンセントに対して接続されることにより、電気コード６２を介して空調部１０へと電気を送る。この電源接続部６０によって空調部１０に供給された電力は、後述する空調部１０の電装部１１に対して供給して各種制御を行うために使われたり、ファンモータ１６を駆動させたり、表示部７０のＬＥＤを点灯させたりする。
【００３２】
表示部７０は、図６において示すように、後述する空調部１０の電装部１１と接続され、汚れレベル表示部７１と、フィルタ交換サイン表示部７２とを有している。汚れレベル表示部７１は、図１、図２、図３および図６においてそれぞれ示すように、前述した下部ケーシング５０の汚れレベルパネル５１の部分に対応する位置に配置され、透明な樹脂の部分を介してＬＥＤを点灯させることにより、空気清浄器１００周辺の空気の汚れ度合いを表示することができる。これによって、使用者等は、空気清浄器１００の利用時において、周辺の空気がどの程度汚れているのかを認識することができる。フィルタ交換サイン表示部７２は、図１、図２、図３および図６においてそれぞれ示すように、前述した下部ケーシング５０のフィルタ交換サインパネル５２の部分に対応する位置に配置され、透明な樹脂の部分を介してＬＥＤを点灯させることにより表示することができる。これにより、交換用フィルタ１２が交換時期となっているという旨を使用者に対して知らせることができる。なお、汚れレベル表示部７１およびフィルタ交換サイン表示部７２に対する電気の供給は、後述する開閉部２０の開閉動作に連動して、後述する電装部１１のスイッチ１１ａにおいて切り換えが行われる。これにより、汚れレベル表示部７１およびフィルタ交換サイン表示部７２は、開閉部２０によって吸込口Ｏ１および吹出口Ｏ２が開けられた場合に、ＬＥＤを点灯させて表示することができる。すなわち、汚れレベル表示部７１およびフィルタ交換サイン表示部７２は、空気清浄器１００の運転時においてのみ点灯・表示される。
【００３３】
＜空気清浄器の内部構成等＞
空気清浄器１００は、図６の断面図において示すように、空調部１０と、開閉部２０とをさらに備えている。
［空調部の構成］
空調部１０は、図６において示すように、電装部１１と、交換用フィルタ１２と、活性炭フィルタ固定部１３と、活性炭フィルタ１４と、送風ファン１５と、ファンモータ１６とから構成されている。
【００３４】
電装部１１は、下部ケーシング５０の内側であって収納スペースＧ６０の裏側に相当する下端中央に配置されている。電装部１１は、電源接続部６０により電気の供給を受けて、ファンモータ１６を駆動させたり、表示部７０の汚れレベル表示部７１やフィルタ交換サイン表示部７２等のＬＥＤを点灯させたりする。ここで、電装部１１には、電源接続部６０により電気の供給を受ける状態と、電気の供給を受けない状態とを切り換えるためのスイッチ１１ａが設けられている。このスイッチ１１ａは、後述する開閉部２０の吸込開閉機構２１の動作に連動して吸込口Ｏ１および吹出口Ｏ２が開閉される際に切り換えられ、吸込口Ｏ１および吹出口Ｏ２が開いた時に電装部１１に対して電気が供給される状態となり、吸込口Ｏ１および吹出口Ｏ２が閉じた時に電装部１１に対して電気が供給されない状態になる。交換用フィルタ１２は、図６および図７において示すように、円筒形状であって、交換用フィルタ支持台５３の上に配置される。なお、交換用フィルタ１２の中心が、空気清浄器１００の上部ケーシング３０の上部軸３１の延長上（空気清浄器１００の中心軸）と同一軸となるように配置される。この交換用フィルタ１２は、空気清浄器１００の運転時に埃の吸着を行う交換可能なフィルタであって、図７において示すように、プレフィルタ１２ａと、ヘパフィルタ１２ｂとから構成されている。この交換用フィルタ１２は、使用によって目詰まりしてくるとフィルタ交換サイン表示部７２のＬＥＤが点灯するため、適切な時期に交換できる。なお、この交換用フィルタ１２の交換作業は、下部ケーシング５０に対して中央ケーシング４０および上部ケーシング３０を取り外すことで、容易に交換することができる。ここでのプレフィルタ１２ａは、空気に含まれている比較的大きな埃を吸着する。また、ヘパフィルタ１２ｂ（High Efficiency Particle Air filter）は、空気中に含まれる０．３マイクロメータ程度の粒子の捕集率が９９．９７％以上の能力を有するものであり、比較的小さな埃を吸着する。活性炭フィルタ固定部１３は、図５および図７において示すように、活性炭フィルタ１４やファンモータ１６等を固定するために、交換用フィルタ１２の上に載せられるようにして配置される。この活性炭フィルタ固定部１３は、上面と下面との両面において上下方向に連通する孔が設けられている。活性炭フィルタ１４は、ファンモータ１６の下であって、この活性炭フィルタ固定部１３の下面の上に固定され、空気に含まれるより微細な埃を吸着する。送風ファン１５は、空気清浄器１００の中心軸上に配置され、回転することによって上方に向かう空気流れＦ１０を形成する。ファンモータ１６は、送風ファン１５の下であって、電源接続部６０から電気の供給を受けることによって駆動して送風ファン１５を回転させる。
【００３５】
［開閉部の構成および動作］
開閉部２０は、図６において示すように、上部ケーシング３０を下に向けて押すことにより吸込口Ｏ１の開閉が可能な吸込開閉機構２１と、吹出口Ｏ２の開閉が可能な吹出開閉機構２５と、吸込吹出支持部２９とを有している。
吸込開閉機構２１は、図６において示すように、バネ２２や図示しない係合爪や被係合部等から構成されている。吸込開閉機構２１では、上部ケーシング３０が下向きに力Ｐで押された場合に、上部軸３１と、吹出開閉機構２５の部分と、活性炭フィルタ固定部１３と、吸込吹出支持部２９とによって力が伝えられ、バネ２２に力が作用する。そして、吸込開閉機構２１は、このようにしてバネ２２に力が作用した場合に、係合爪と被係合部との係合状態を変換して、中央ケーシング４０と下部ケーシング５０との間の距離を変更して吸込口Ｏ１を開閉する。吸込開閉機構２１では、係合爪が被係合部と係合している時にはバネ２２の伸びる力が抑えられて吸込口Ｏ１が閉じた状態になり、係合爪が被係合部と係合していない時にはバネ２２の伸びる力によって吸込口Ｏ１が開いた状態とされる。このような係合爪と被係合部との係合状態は、バネ２２に力が作用されるごとに変換され、吸込口Ｏ１の開閉状態が切り換えられる。また、吸込開閉機構２１は、バネ２２に力が作用した場合に、電装部１１のスイッチ１１ａにおいて電気接続の切り換えを行い、電装部１１における電気の供給状態を変換する。すなわち、吸込開閉機構２１は、バネ２２に力が作用される度に、電源接続部６０から電装部１１に対して電気が供給される状態と、供給されない状態とを変換する。
【００３６】
吹出開閉機構２５は、吸込開閉機構２１と同様であり、図６において示すように、バネ２６や図示しない係合爪や被係合部等から構成されている。吹出開閉機構２５では、上部ケーシング３０が下向きに力Ｐで押された場合に、上部軸３１によって力が伝えられ、バネ２６に力が作用する。そして、吹出開閉機構２５は、このようにしてバネ２６に力が作用した場合に、係合爪と被係合部との係合状態を変換して、吸込開閉機構２１と同様にして、上部ケーシング３０と中央ケーシング４０との間の距離を変更して吹出口Ｏ２を開閉する。
【００３７】
なお、バネ２２とバネ２６とに対しては、ほぼ同時に力が作用するため、吸込開閉機構２１による吸込口Ｏ１の開閉と吹出開閉機構２５による吹出口Ｏ２の開閉とは、ほぼ同時に行われる。また、吸込開閉機構２１による、スイッチ１１ａの切り換え動作も、ほぼこれらと同時に行われる。
吸込吹出支持部２９は、図６において示すように、吸込開閉機構２１と吹出開閉機構２５との間において空気清浄器１００の中心軸上に配置され、上部ケーシング３０が下向きに力Ｐで押された場合に、吸込開閉機構２１にまで力を伝達させる。
【００３８】
このように、開閉部２０によると、上部ケーシング３０が下向きに力Ｐで押されることによって、吸込開閉機構２１によって中央ケーシング４０が下部ケーシング５０に対して持ち上げられて吸込口Ｏ１が開き、この持ち上げられた中央ケーシング４０に対して上部ケーシング３０は吹出開閉機構２５によってさらに持ち上げられて吹出口Ｏ２が開かれ、空調部１０の運転も開始される。また、再度、上部ケーシング３０が下向きに力Ｐで押されることによって、吸込開閉機構２１によって吸込口Ｏ１が閉じられ、吹出開閉機構２５によって吹出口Ｏ２が閉じられ、空調部１０の運転も停止される。
【００３９】
＜空調部による空気清浄動作＞
空調部１０の運転停止時には、図１および図２に示すように、空気清浄器１００の吸込口Ｏ１および吹出口Ｏ２は閉じた状態となっている。
ここで、上部ケーシング３０が下向きに力Ｐで押されることによって、開閉部２０によって吸込口Ｏ１および吹出口Ｏ２が開かれて、スイッチ１１ａが切り換えられて電装部１１に電気が供給される。電気の供給を受けた電装部１１は、図６において示すように、ファンモータ１６を駆動させて送風ファン１５による空気流れＦ１０を形成させたり、表示部７０においてＬＥＤ表示を行ったりする。
【００４０】
このように、空気流れＦ１０が形成され、吸込口Ｏ１も開かれているため、図３および図６において示すように、室内空気を空気清浄器１００の内部の空調部１０に取り込む空気流れＦ１を形成することができる。また、吹出口Ｏ２も開かれているため、空調部１０のフィルタ等によって清浄された空気が再び室内に戻される空気流れＦ２を形成することができる。
【００４１】
なお、空調部１０における空気の清浄は、空気流れＦ１、Ｆ１０、Ｆ２によって、交換用フィルタ１２におけるプレフィルタ１２ａとヘパフィルタ１２ｂおよび活性炭フィルタ１４を通過させることによって行われる。まず、プレフィルタ１２ａでは、吸込口Ｏ１から取り込まれた空気を初めに清浄するフィルタであって、比較的大きな埃を取り除く。これによって、ヘパフィルタ１２ｂや活性炭フィルタ１４に対する吸着負担を軽減させてこれらの目詰まりを防いでいる。プレフィルタ１２ａを通過した空気は、さらにヘパフィルタ１２ｂをも通過することによって比較的小さな埃が取り除かれる。そして、ヘパフィルタ１２ｂを通過した空気は、最終的に活性炭フィルタ１４を通過する。この活性炭フィルタ１４では、非常に小さな埃が取り除かれて、空調部１０による空気の清浄が終了する。
【００４２】
このように、室内の汚れた空気が空気流れＦ１、Ｆ１０によって空調部１０に取り込まれて空調部１０によって清浄され、空気流れＦ２によってきれいな空気が室内に送り出される。
＜特徴＞
（１）
一般に、空気清浄器の吸込口および吹出口においては、空気清浄器の運転時において空気流れが形成されている時には、埃は付着しにくい。従来の空気清浄器では、運転停止状態においては、吸込口および吹出口では空気流れが形成されず、空気中を舞っている小さな埃や塵が吸込口および吹出口に付着することがある。これに対して、近年の空気清浄器では、運転停止時に、吸込口および吹出口にカバーを取り付けることでこのような埃の付着を防いでいるものがある。しかし、このような空気清浄器であっても、運転・停止を繰り返す度に、このようなカバーの取り外し作業が必要となってしまい、煩雑である。また、このようなカバーの開閉を電動で可能なものを作成するとコスト高となってしまう。
【００４３】
これに対して、上記実施形態における空気清浄器１００では、上部ケーシング３０を下に向けて押すという１つの動作によって、吸込口Ｏ１および吹出口Ｏ２をほぼ同時に開閉できるだけでなく、空調部１０の運転／停止を切り換えることができる。このため、空気清浄器１００の運転停止時においては、吸込口Ｏ１および吹出口Ｏ２を閉じて埃の付着を抑えることができ、空気清浄器１００の取り扱いも容易である。さらに、吸込口Ｏ１と吹出口Ｏ２の開閉が同時に行われることから、運転停止状態と運転状態とを迅速に変換できるようになり、空気清浄器１００の操作性も向上する。
【００４４】
また、運転停止時に吸込口Ｏ１および吹出口Ｏ２に埃が付着していると、空気清浄器１００の運転を再開した際に、この付着していた埃が設置場所の近傍に散乱されてしまうという虞があり、きれいに運転させるには運転開始前に埃を取り除く作業を行わなければならない。これに対して、上記実施形態における空気清浄器１００では、運転停止時においては、吸込口Ｏ１および吹出口Ｏ２が共に閉じられているため運転停止時における埃の付着を防いで、運転再開時における埃の散乱を防ぐことができるようになる。これにより、運転停止時において埃を取り除いたりする作業が不要となり、空気清浄器１００の手入れが容易になる。
【００４５】
また、このように、吸込口Ｏ１および吹出口Ｏ２を閉じることによって、運転停止時に空気清浄器１００の内部に埃が進入することを防ぐことができる。これにより、空気清浄器１００の故障などを防いだり、空気清浄器１００の寿命を長期化させることが可能とになる。
なお、上記実施形態の空気清浄器１００は、３つのケーシング３０、４０，５０によって吸込口Ｏ１および吹出口Ｏ２の開閉が可能となるので、吸込口Ｏ１および吹出口Ｏ２を閉じるためのカバー等を別途設ける必要がなく、空気清浄器１００の構成を簡素化させることができ、製造コストも低く抑えることができる。
【００４６】
（２）
上記実施形態における空気清浄器１００においては、運転停止時において、吸込口Ｏ１と吹出口Ｏ２との両方を閉じることができるため、運転停止時の見映え（意匠性）を向上させることができる。また、運転停止時において、吸込口Ｏ１と吹出口Ｏ２との両方を閉じることができるため、埃を吸着して汚れた状態の交換用フィルタ１２は、運転停止時において視覚に入りにくく隠しやすいため、この点からも意匠性を向上させることができる。
【００４７】
（３）
上記実施形態における空気清浄器１００においては、通常の空気清浄器と比較して大きさが小さい小型の空気清浄器１００であるため、卓上に配置させることができる。机の上は、できるだけきれいに保ちたい反面、多くの作業を行うことにより埃が溜まってしまいやすい。これに対して、上記実施形態における空気清浄器１００では、卓上に簡単に設置できるため、空気の清浄を行うことで卓上をきれいに保つことができる。
【００４８】
また、空気清浄器１００は、電気プラグ６１を有する電源接続部６０が設けられているので空調部１０に電力を供給するための電源を様々な場所から選ぶことが可能になり、室内の様々な場所に設置でき、希望の設置場所を容易に確保することができる。また、空気清浄器１００を使用しない場合等電気コード６２を使用しない場合であっても、電気コード６２を収納スペースＧ６０に収納させることができるため、不使用時における電気コード６２が煩雑な場合でも、これらの収納が便利であり、空気清浄器１００の設置において省スペース化させることができる。
【００４９】
（４）
上記実施形態における空気清浄器１００は、略円筒形状であり、吸込口Ｏ１および吹出口Ｏ２も略円筒形状の空気清浄器１００を縁取るように円周状に開くことができ、室内空気を設置場所の周りから均等に取り込んで吹き出すことができる。このため、空気の清浄においてムラを生じにくくさせることができる。
【００５０】
（５）
上記実施形態における空気清浄器１００では、上部ケーシング３０、中央ケーシング４０、下部ケーシング５０の配置は、上から見た場合において、下方に配置されているケーシングがその上方に配置されているケーシングによって覆い隠されて見えないように配置されている。これにより、重力に従って落下して吸込口Ｏ１近傍の下部ケーシング５０上面Ｓ４および吹出口Ｏ２近傍の中央ケーシング４０上面Ｓ２に堆積する埃の量を低減させることができる。
【００５１】
また、上部ケーシング３０、中央ケーシング４０、下部ケーシング５０の配置は、吸込口Ｏ１および吹出口Ｏ２が閉じられた状態で上方に配置されるケーシングの外縁と下方に配置されるケーシングの外縁との水平方向における差が少なくなるように配置されている。これのため、重力に逆らって自由に動くような微小な埃についても、吸込口Ｏ１および吹出口Ｏ２における埃の付着を効果的に抑えることができる。
【００５２】
（６）
上記実施形態における空気清浄器１００では、吸込口Ｏ１および吹出口Ｏ２が閉じている時には、運転停止状態となって空調部１０は可動しないため、空気の流路が確保されないままに空調部１０が運転されることにより空調部１０に不具合が生じることを抑えることができる。
【００５３】
（７）
上記実施形態における空気清浄器１００は、卓上に設置可能な小型のものであるため、製造コストを抑えることができる。また、卓上小型サイズであるために、１つの室内空間においても必要な設置場所を複数選んで設置することができる。例えば、複数の机が配置されて喫煙者と禁煙者とが入り乱れて存在している室内においては、喫煙者のいる場所にだけ上記空気清浄器１００を設置して、局所的に空気の清浄を行うことができる。このため、大型の空気清浄機を設けるまでもなく小型の空気清浄器をいくつか設置することで十分に空気の清浄を行うことができる場合には、設置のシステムコストを抑えることができるようになる。
【００５４】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態では、空調部１０に埃を吸着するフィルタを設けて、室内の空気の清浄を行う空気清浄器１００を例に挙げて説明した。
【００５５】
しかし、本発明はこれに限定されるものではなく、例えば、埃を吸着するフィルタの代わりに、香料を含ませたフィルタ等を設けて、室内の空気に香りを付して芳香させることも可能である。また、空気の清浄を行うフィルタに香料を含ませる等によって、空気の清浄と空気の香り付けとを同時に実現させるようにすることも可能である。
（Ｂ）
上記実施形態では、空調部１０における各空気流れＦ１、Ｆ１０、Ｆ２を形成させるように回転される送風ファン１５について説明した。しかし、空気流れＦ１、Ｆ１０、Ｆ２を形成するファンの形状は特に限定されたるものではなく、プロペラファンであっても、多翼型のシロッコファンであってもよい。また、この他にも軸流ファン等、空気流れＦ１、Ｆ１０、Ｆ２を形成することができるものであれば適用することができる。
【００５６】
（Ｃ）
上記実施形態では、吸込口Ｏ１および吹出口Ｏ２の開閉は、開閉部２０によって上部ケーシング３０を下向きに押すという方法によって行われ、吸込口Ｏ１および吹出口Ｏ２は、開いた状態であるか、閉じた状態であるかのいずれかの状態となる。
これに対して、このような開閉方法を応用させて、上部ケーシング３０を押す度合いに応じて、吸込口Ｏ１および吹出口Ｏ２の開き度合いを調整できるような開閉部２０であってもよい。例えば、上部ケーシング３０を中央ケーシング４０に向けて少しだけ押し込んだ場合には吸込口Ｏ１および吹出口Ｏ２は少しだけ開いた状態となり、より深くまで押し込んだ場合には吸込口Ｏ１および吹出口Ｏ２は大きく開いた状態となるように調整可能な構成であってもよい。これにより、風量や風速を調整することも可能になる。
【００５７】
また、吸込口Ｏ１および吹出口Ｏ２の開閉方法は、このような押し込む機構に基づいた開閉方式に限られるものではなく、中央ケーシング４０に対して下部ケーシング５０を回転することによって吸込口Ｏ１が、中央ケーシング４０に対して上部ケーシング３０を回転することによって吹出口Ｏ２が、それぞれ開閉されるような構成であってもよい。また、この場合において、中央ケーシング４０に対して上部ケーシング３０を回転することによって、吹出口Ｏ２だけでなく吸込口Ｏ１も同時に開くような構成であってもよい。このように、回転によって吸込口Ｏ１および吹出口Ｏ２の開閉を行う場合には、回転を行う度合いによって、吸込口Ｏ１および吹出口Ｏ２の開き度合いを調整することができる。このため、風量や風速を調整することも可能になる。
【００５８】
この他にも、空気清浄器１００に対する電源の供給の有無に応じて、電動で吸込口Ｏ１および吹出口Ｏ２の開閉が行われるものであってもよい。例えば、上記実施形態における空気清浄器１００において、電気プラグ６１を電気コンセント等を差し込むことで、吸込口Ｏ１および吹出口Ｏ２が自動的に開いて、空調部１０の運転が開始される構成のものであってもよい。
【００５９】
また、上記実施形態における空気清浄器１００では、吸込口Ｏ１および吹出口Ｏ２の両方が閉じた状態すなわち運転停止状態においても、図２の正面図において示すように、上部ケーシング３０と中央ケーシング４０との間および中央ケーシング４０と下部ケーシング５０との間には、若干ではあるが隙間が設けられている。この隙間は、吸込開閉機構２１および吹出開閉機構２５を作動させる際に上部ケーシング３０を下に向けて押すための「遊び」として設けられている部分である。このため、上記実施形態においては、わずかではあるが、吸込口Ｏ１および吹出口Ｏ２が閉じられた状態でも、上部ケーシング３０と中央ケーシング４０との間および中央ケーシング４０と下部ケーシング５０との間に隙間が存在する。しかし、これに対して、例えば、上部ケーシング３０の上方部分等において、押しボタンを設ける等して、この押しボタンを下向きに押すことで吸込口Ｏ１および吹出口Ｏ２の開閉することが可能になるような空気清浄器であってもよい。この場合には、上述のような「遊び」の隙間が不要となるために、空気清浄器の運転停止状態では、吸込口Ｏ１および吹出口Ｏ２が完全に閉じられて、上部ケーシング下面Ｓ１が中央ケーシング上面Ｓ２に対して当接して、中央ケーシング下面Ｓ３が下部ケーシング上面Ｓ４に対して当接し、上部ケーシング３０と中央ケーシング４０との間および中央ケーシング４０と下部ケーシング５０との間の隙間が無くなるようにすることが可能となる。
【００６０】
（Ｄ）
上記実施形態では、空調部１０に対する電気の供給は、電気プラグ６１を電源コンセントに差し込んで電源接続部６０を介することで行っている。
これに対して、空調部１０への電気の供給は、必ずしも電気プラグ６１に限られたことではなく、パソコン等に設けられているＵＳＢポートを利用して行われるものであってもよい。この場合には、電源接続部６０は、図８において示すように、上記実施形態における電気プラグ６１の代わりに、パソコン等のＵＳＢポートに対して接続可能なＵＳＢコネクタ６３を備えることとなる。このようなＵＳＢを介した電源供給方法によっても、上述の実施形態における空気清浄器１００と同様の効果を奏することができる。なお、ＵＳＢコネクタ６３による接続態様の場合には、パソコンとの間でデータ送受信が可能となるため、上記実施形態以外に、空気清浄器に複雑な機能を備えさせ、パソコンによって運転制御することが可能な構成としてもよい。
【００６１】
また、電気の供給方法についてはこの他にも、電池等により駆動力を得ることが可能な空気清浄器１００であってもよく、これらの選択が可能な空気清浄器であってもよい。
（Ｅ）
上記実施形態における空気清浄器１００では、上部ケーシング３０を下に押すことによって、吸込口Ｏ１と吹出口Ｏ２とを開閉しているが、下部ケーシング５０を上に向けて押すことによって吸込口Ｏ１および吹出口Ｏ２の開閉が可能となるような空気清浄器であってもよい。
【００６２】
（Ｆ）
上記空気清浄器１００は事務的な作業が行われる卓上において設置できるため、上記実施形態における空気清浄器１００に様々な事務用品の機能を併用させるとより便利である。例えば、上部ケーシング３０の内側において磁石を設けておき、この磁石の磁力による吸引力によって、プリント類等を挟むためのクリップ等を上部ケーシング３０に対して着けることができるようにしてもよい。
【００６３】
（Ｇ）
上記実施形態においては、状況情報部４１では、会議中、帰宅、出張、試験室等の表示から選んで選択矢印３３によって情報を選択的に表示しているが、状況情報部４１の表示は、これらに限られるものでない。例えば、飲食店などのテーブル上にこの空気清浄器１００を配置して使用する場合には「予約中」・「使用中」・「空き」の表示を加える等、使用の用途に応じた表示にすることができる。
【産業上の利用可能性】
【００６４】
本発明によれば、吸込口および吹出口に埃が付着することを容易に抑えることができるため、吸込口から空気を吸い込んで吹出口から調和された空気を吹き出す空気調和装置への適用が特に有用である。
【図面の簡単な説明】
【００６５】
【図１】空気清浄器の外観斜視図。
【図２】空気清浄器のＯＦＦ時の正面図。
【図３】空気清浄器のＯＮ時の正面図。
【図４】空気清浄器を構成する３つのケーシングの分解概略図。
【図５】下部ケーシングの底面における収納スペースを示す斜視図。
【図６】空気清浄器の断面図。
【図７】活性炭フィルタ固定部および交換用フィルタの外観斜視図。
【図８】空気清浄器において電源接続部にＵＳＢコネクタを採用した変形例。
【符号の説明】
【００６６】
１０    空調部
２０    開閉部
２１    距離変動機構（吸込開閉機構）
２５    距離変動機構（吹出開閉機構）
３０    第１ケーシング（上部ケーシング）
４０    第２ケーシング（中央ケーシング）
５０    第３ケーシング（下部ケーシング）
６０    電源接続部
６１    電気プラグ
６２    電気コード
６３    ＵＳＢコネクタ
１００    空気調和装置（空気清浄器）
Ｏ１    吸込口
Ｏ２    吹出口
Ｇ６０    収納スペース
【図１】
2005164106.tif 000003
【図２】
2005164106.tif 000004
【図３】
2005164106.tif 000005
【図４】
2005164106.tif 000006
【図５】
2005164106.tif 000007
【図６】
2005164106.tif 000008
【図７】
2005164106.tif 000009
【図８】
2005164106.tif 000010